(57)【特許請求の範囲】
【請求項１】
通信システムの受信機用の予測チャネル品質情報を決定する方法であって、
第１受信機からの少なくとも１つの第１チャネル品質情報を決定し、
第２受信機からの少なくとも１つの第２チャネル品質情報を決定し、
前記少なくとも１つの第１チャネル品質情報および前記少なくとも１つの第２チャネル品質情報の関数により、前記予測チャネル品質情報を算出し、
無限インパルス応答によって前記予測チャネル品質情報と前記少なくとも１つの第２チャネル品質情報との差をフィルターする
ことを備え、
複数の第１チャネル品質情報が決定される場合、前記複数のそれぞれは、時間のそれぞれ異なる点で生じる方法。
【請求項２】
前記第１受信機は、非遅延受信機である請求項１の方法。
【請求項３】
前記非遅延受信機は、レーク受信機である請求項２の方法。
【請求項４】
前記第２受信機は、遅延受信機である請求項１の方法。
【請求項５】
前記遅延受信機は、イコライザー（equalizer）である請求項４の方法。
【請求項６】
前記第１受信機はレーク受信機であり、前記第２受信機はイコライザー（equalizer）である請求項１の方法。
【請求項７】
前記関数は、Ｄ＿ＣＱＩ（ｔ＋Δｔ）＝ａＤ＿ＣＱＩ（ｔ）＋ｂＮＤ＿ＣＱＩ（ｔ＋Δｔ）＋ｃＮＤ＿ＣＱＩ（ｔ）を有し、
Ｄ＿ＣＱＩ（ｔ＋Δｔ）は時刻ｔ＋Δｔにおける前記予測ＣＱＩであり、Ｄ＿ＣＱＩ（ｔ）は時刻ｔにおける先の遅延ＣＱＩを有する前記少なくとも１つの第２チャネル品質情報であり、ＮＤ＿ＣＱＩ（ｔ＋Δｔ）は時刻ｔ＋Δｔにおける非遅延ＣＱＩを有する前記複数の第１チャネル品質情報の１つであり、ＮＤ＿ＣＱＩ（ｔ）は時刻ｔにおける非遅延ＣＱＩを有する前記複数の第１チャネル品質情報の別の１つであり、ａ、ｂおよびｃは予め決められる定数値である請求項１の方法。
【請求項８】
前記関数は、Ｄ＿ＣＱＩ（ｔ＋Δｔ）＝Ｄ＿ＣＱＩ（ｔ）＋ｃ（ＮＤ＿ＣＱＩ（ｔ）−ＮＤ＿ＣＱＩ（ｔ＋Δｔ））を有し、
Ｄ＿ＣＱＩ（ｔ＋Δｔ）は時刻ｔ＋Δｔにおける前記予測ＣＱＩであり、Ｄ＿ＣＱＩ（ｔ）は時刻ｔにおける先の遅延ＣＱＩを有する前記少なくとも１つの第２チャネル品質情報であり、ＮＤ＿ＣＱＩ（ｔ＋Δｔ）は時刻ｔ＋Δｔにおける非遅延ＣＱＩを有する前記複数の第１チャネル品質情報の１つであり、ＮＤ＿ＣＱＩ（ｔ）は時刻ｔにおける非遅延ＣＱＩを有する前記複数の第１チャネル品質情報の別の１つであり、ｃは予め決められる定数値である請求項１の方法。
【請求項９】
通信システムの受信機用の予測チャネル品質情報を決定する装置であって、
第１受信機からの少なくとも１つの第１チャネル品質情報を決定し、
第２受信機からの少なくとも１つの第２チャネル品質情報を決定し、
前記少なくとも１つの第１チャネル品質情報および前記少なくとも１つの第２チャネル品質情報の関数により、前記予測チャネル品質情報を算出し、
無限インパルス応答によって前記予測チャネル品質情報と前記少なくとも１つの第２チャネル品質情報との差をフィルターする
ように構成された少なくとも１つのプロセッサと、
前記少なくとも１つのプロセッサに結合されたメモリと
を備え、
複数の第１チャネル品質情報が決定される場合、前記複数のそれぞれは、時間のそれぞれ異なる点で生じる装置。
【請求項１０】
前記第１受信機は、非遅延受信機である請求項９の装置。
【請求項１１】
前記非遅延受信機は、レーク受信機である請求項１０の装置。
【請求項１２】
前記第２受信機は、遅延受信機である請求項９の装置。
【請求項１３】
前記遅延受信機は、イコライザー（equalizer）である請求項１２の装置。
【請求項１４】
前記第１受信機はレーク受信機であり、前記第２受信機はイコライザー（equalizer）である請求項９の装置。
【請求項１５】
前記関数は、Ｄ＿ＣＱＩ（ｔ＋Δｔ）＝ａＤ＿ＣＱＩ（ｔ）＋ｂＮＤ＿ＣＱＩ（ｔ＋Δｔ）＋ｃＮＤ＿ＣＱＩ（ｔ）を有し、
Ｄ＿ＣＱＩ（ｔ＋Δｔ）は時刻ｔ＋Δｔにおける前記予測ＣＱＩであり、Ｄ＿ＣＱＩ（ｔ）は時刻ｔにおける先の遅延ＣＱＩを有する前記少なくとも１つの第２チャネル品質情報であり、ＮＤ＿ＣＱＩ（ｔ＋Δｔ）は時刻ｔ＋Δｔにおける非遅延ＣＱＩを有する前記複数の第１チャネル品質情報の１つであり、ＮＤ＿ＣＱＩ（ｔ）は時刻ｔにおける非遅延ＣＱＩを有する前記複数の第１チャネル品質情報の別の１つであり、ａ、ｂおよびｃは予め決められる定数値である請求項９の装置。
【請求項１６】
前記関数は、Ｄ＿ＣＱＩ（ｔ＋Δｔ）＝Ｄ＿ＣＱＩ（ｔ）＋ｃ（ＮＤ＿ＣＱＩ（ｔ）−ＮＤ＿ＣＱＩ（ｔ＋Δｔ））を有し、
Ｄ＿ＣＱＩ（ｔ＋Δｔ）は時刻ｔ＋Δｔにおける前記予測ＣＱＩであり、Ｄ＿ＣＱＩ（ｔ）は時刻ｔにおける先の遅延ＣＱＩを有する前記少なくとも１つの第２チャネル品質情報であり、ＮＤ＿ＣＱＩ（ｔ＋Δｔ）は時刻ｔ＋Δｔにおける非遅延ＣＱＩを有する前記複数の第１チャネル品質情報の１つであり、ＮＤ＿ＣＱＩ（ｔ）は時刻ｔにおける非遅延ＣＱＩを有する前記複数の第１チャネル品質情報の別の１つであり、ｃは予め決められる定数値である請求項９の装置。
【請求項１７】
通信システムの受信機用の予測チャネル品質情報を決定する装置であって、
第１受信機からの少なくとも１つの第１チャネル品質情報を決定する手段と、
第２受信機からの少なくとも１つの第２チャネル品質情報を決定する手段と、
前記少なくとも１つの第１チャネル品質情報および前記少なくとも１つの第２チャネル品質情報の関数により、前記予測チャネル品質情報を算出する手段と、
無限インパルス応答によって前記予測チャネル品質情報と前記少なくとも１つの第２チャネル品質情報との差をフィルターする手段と
を備え、
複数の第１チャネル品質情報が決定される場合、前記複数のそれぞれは、時間のそれぞれ異なる点で生じる装置。
【請求項１８】
前記第１受信機は、非遅延受信機である請求項１７の装置。
【請求項１９】
前記非遅延受信機は、レーク受信機である請求項１８の装置。
【請求項２０】
前記第２受信機は、遅延受信機である請求項１７の装置。
【請求項２１】
前記遅延受信機は、イコライザー（equalizer）である請求項２０の装置。
【請求項２２】
前記第１受信機はレーク受信機であり、前記第２受信機はイコライザー（equalizer）である請求項１７の装置。
【請求項２３】
前記関数は、Ｄ＿ＣＱＩ（ｔ＋Δｔ）＝ａＤ＿ＣＱＩ（ｔ）＋ｂＮＤ＿ＣＱＩ（ｔ＋Δｔ）＋ｃＮＤ＿ＣＱＩ（ｔ）を有し
Ｄ＿ＣＱＩ（ｔ＋Δｔ）は時刻ｔ＋Δｔにおける前記予測ＣＱＩであり、Ｄ＿ＣＱＩ（ｔ）は時刻ｔにおける先の遅延ＣＱＩを有する前記少なくとも１つの第２チャネル品質情報であり、ＮＤ＿ＣＱＩ（ｔ＋Δｔ）は時刻ｔ＋Δｔにおける非遅延ＣＱＩを有する前記複数の第１チャネル品質情報の１つであり、ＮＤ＿ＣＱＩ（ｔ）は時刻ｔにおける非遅延ＣＱＩを有する前記複数の第１チャネル品質情報の別の１つであり、ａ、ｂおよびｃは予め決められる定数値である請求項１７の装置。
【請求項２４】
前記関数は、Ｄ＿ＣＱＩ（ｔ＋Δｔ）＝Ｄ＿ＣＱＩ（ｔ）＋ｃ（ＮＤ＿ＣＱＩ（ｔ）−ＮＤ＿ＣＱＩ（ｔ＋Δｔ））を有し、
Ｄ＿ＣＱＩ（ｔ＋Δｔ）は時刻ｔ＋Δｔにおける前記予測ＣＱＩであり、Ｄ＿ＣＱＩ（ｔ）は時刻ｔにおける先の遅延ＣＱＩを有する前記少なくとも１つの第２チャネル品質情報であり、ＮＤ＿ＣＱＩ（ｔ＋Δｔ）は時刻ｔ＋Δｔにおける非遅延ＣＱＩを有する前記複数の第１チャネル品質情報の１つであり、ＮＤ＿ＣＱＩ（ｔ）は時刻ｔにおける非遅延ＣＱＩを有する前記複数の第１チャネル品質情報の別の１つであり、ｃは予め決められる定数値である請求項１７の装置。
【請求項２５】
第１受信機からの少なくとも１つの第１チャネル品質情報をコンピュータに決定させるコードと、
第２受信機からの少なくとも１つの第２チャネル品質情報をコンピュータに決定させるコードと、
前記少なくとも１つの第１チャネル品質情報および前記少なくとも１つの第２チャネル品質情報の関数により、予測チャネル品質情報をコンピュータに算出させるコードと
無限インパルス応答によって前記予測チャネル品質情報と前記少なくとも１つの第２チャネル品質情報との差をコンピュータにフィルターさせるコードと
を備え、
複数の第１チャネル品質情報が決定される場合、前記複数のそれぞれは、時間のそれぞれ異なる点で生じるコンピュータ読み取り可能な記録媒体。
【請求項２６】
前記第１受信機は、非遅延受信機である請求項２５の記録媒体。
【請求項２７】
前記非遅延受信機は、レーク受信機である請求項２６の記録媒体。
【請求項２８】
前記第２受信機は、遅延受信機である請求項２５の記録媒体。
【請求項２９】
前記遅延受信機は、イコライザー（equalizer）である請求項２８の記録媒体。
【請求項３０】
前記第１受信機はレーク受信機であり、前記第２受信機はイコライザー（equalizer）である請求項２５の記録媒体。
【請求項３１】
前記関数は、Ｄ＿ＣＱＩ（ｔ＋Δｔ）＝ａＤ＿ＣＱＩ（ｔ）＋ｂＮＤ＿ＣＱＩ（ｔ＋Δｔ）＋ｃＮＤ＿ＣＱＩ（ｔ）を有し、
Ｄ＿ＣＱＩ（ｔ＋Δｔ）は時刻ｔ＋Δｔにおける前記予測ＣＱＩであり、Ｄ＿ＣＱＩ（ｔ）は時刻ｔにおける先の遅延ＣＱＩを有する前記少なくとも１つの第２チャネル品質情報であり、ＮＤ＿ＣＱＩ（ｔ＋Δｔ）は時刻ｔ＋Δｔにおける非遅延ＣＱＩを有する前記複数の第１チャネル品質情報の１つであり、ＮＤ＿ＣＱＩ（ｔ）は時刻ｔにおける非遅延ＣＱＩを有する前記複数の第１チャネル品質情報の別の１つであり、ａ、ｂおよびｃは予め決められる定数値である請求項２５の記録媒体。
【請求項３２】
前記関数は、Ｄ＿ＣＱＩ（ｔ＋Δｔ）＝Ｄ＿ＣＱＩ（ｔ）＋ｃ（ＮＤ＿ＣＱＩ（ｔ）−ＮＤ＿ＣＱＩ（ｔ＋Δｔ））を有する。
尚、Ｄ＿ＣＱＩ（ｔ＋Δｔ）は時刻ｔ＋Δｔにおける前記予測ＣＱＩであり、Ｄ＿ＣＱＩ（ｔ）は時刻ｔにおける先の遅延ＣＱＩを有する前記少なくとも１つの第２チャネル品質情報であり、ＮＤ＿ＣＱＩ（ｔ＋Δｔ）は時刻ｔ＋Δｔにおける非遅延ＣＱＩを有する前記複数の第１チャネル品質情報の１つであり、ＮＤ＿ＣＱＩ（ｔ）は時刻ｔにおける非遅延ＣＱＩを有する前記複数の第１チャネル品質情報の別の１つであり、ｃは予め決められる定数値である請求項２５の記録媒体。
【発明の詳細な説明】
【優先権の主張】
【０００１】
この出願は、この譲受人に譲渡され、２００７年４月３０日に出願され、“CHANNEL QUALITY INDICATOR (CQI) PREDICTION IN A COMMUNICATION SYSTEM”と表題された米国仮出願番号６０／９１５，００４の優先権を主張し、これにより、本明細書に参照によって明示的に組み込まれる。
【技術分野】
【０００２】
この開示は、広く、通信システムにおいてチャネル品質情報（ＣＱＩ：channel quality indicator）を予測する方法および装置に関し、より具体的には、異なるＣＱＩ値の関数に基づいて受信機用のＣＱＩを予測する方法および装置に関する。
【背景技術】
【０００３】
チャネルの状態の推定およびチャネルの状態の推定のフィードバックは、高速ダウンリンクパケットアクセス（ＨＳＤＰＡ：High Speed Downlink Packet Access）、ＥＶＤＯ（Evolution Data Only/Optimized）、ＵＭＢ（Ultra Mobile Broadband）、および他の同様のシステムのような現在および将来の無線システムの必要不可欠な構成要素である。そのようなシステムにおいて、装置の受信機は、例えばチャネルのＳＮＲ（Signal-to-Noise Ratio）といったチャネル品質情報（ＣＱＩ：channel quality indicator）を推定し、適切なスケジューリングのために装置の送信機にそれをフィードバックする。
【０００４】
しかしながら、無線受信機における新たな傾向は、アドバンストオフラインまたは遅延受信機を用いることである。アドバンストオフラインまたは遅延受信機は、ある期間サンプルを格納し、その後、イコライザー（equalizer）、干渉キャンセル受信機、または他の同様の受信機を用いてバッチによりこれらの格納されたサンプルを処理する。しかしながら、このアプローチは、バッチデータが届く間に生じる待機によって、および受信機のパラメータをコンピュータ算出することによって、重大な遅延を生じさせる。さらに、遅延は、受信機の特定のアプリケーション（例えば、イコライザー（equalizer）フィルター、または干渉キャンセル）によって生じる。
【０００５】
発生する重要な問題は、このようなプロセスの遅延が送信機にフィードバックされる遅延受信機のＣＱＩを古くさせることである（すなわち、最新ではない）。例えば、受信機チェーンが時間Δｔ遅延させた場合、その後、現在の時刻ｔ＋Δｔにおいて報告されるＣＱＩは、以前の時刻ｔにおけるチャネル状態に基づいている。古いＣＱＩの報告は、ＣＱＩが基づくスケジューリングパフォーマンスを低下させ、適合性テストの通過に問題を生じさせる。
【発明の概要】
【０００６】
一態様によれば、通信システムの受信機用の予測チャネル品質情報を決定する方法が開示されている。方法は、第１受信機からの少なくとも１つの第１チャネル品質情報を決定し、第２受信機からの少なくとも１つの第２チャネル品質情報を決定することを含む。方法はまた、少なくとも１つの第１チャネル品質情報および少なくとも１つの第２チャネル品質情報の関数により、予測チャネル品質情報を算出することを含む。
【０００７】
別の態様によれば、通信システムの受信機用の予測チャネル品質情報を決定する装置が開示されている。装置は、第１受信機からの少なくとも１つの第１チャネル品質情報を決定し、第２受信機からの少なくとも１つの第２チャネル品質情報を決定するように構成された少なくとも１つのプロセッサを特徴とする。プロセッサはまた、少なくとも１つの第１チャネル品質情報および少なくとも１つの第２チャネル品質情報の関数により、予測チャネル品質情報を算出するように構成されている。装置はまた、少なくとも１つのプロセッサに結合されたメモリを備える。
【０００８】
また別の態様によれば、通信システムの受信機用の予測チャネル品質情報を決定する装置が開示されている。装置は、第１受信機からの少なくとも１つの第１チャネル品質情報を決定する手段と、第２受信機からの少なくとも１つの第２チャネル品質情報を決定する手段とを含む。装置はまた、少なくとも１つの第１チャネル品質情報および少なくとも１つの第２チャネル品質情報の関数により、予測チャネル品質情報を算出する手段を含む。
【０００９】
さらに別の態様によれば、本開示は、コンピュータ読み取り可能な媒体を含むコンピュータプログラム製品を特徴とする。媒体は、第１受信機からの少なくとも１つの第１チャネル品質情報をコンピュータに決定させるコードと、第２受信機からの少なくとも１つの第２チャネル品質情報をコンピュータに決定させるコードと、少なくとも１つの第１チャネル品質情報および少なくとも１つの第２チャネル品質情報の関数により、予測チャネル品質情報を算出させるコードとを含む。
【図面の簡単な説明】
【００１０】
【図１】図１は、チャネル品質情報を予測する通信システムにおいて用いられる装置のブロック図。
【図２】図２は、遅延および非遅延受信機の両方からの時間に対するチャネル品質情報値のグラフ。
【図３】図３は、チャネル品質情報を予測する方法のフローチャート。
【図４】図４は、チャネル品質情報を予測する通信システムにおいて用いられる別の装置のブロック図。
【発明を実施するための形態】
【００１１】
本出願は、プロセスの遅延による問題を抑制するために、通信システムの受信機（またはより具体的には、遅延受信機）用のチャネル品質情報（ＣＱＩ：channel quality indicator）を予測する方法および装置を開示している。特に、開示される方法および装置は、現在利用可能な遅延受信機のＣＱＩを用いるだけでなく、さらに非遅延受信機から得られる別のＣＱＩのセットも利用する。それぞれの受信機から得られる２つのタイプまたはグループのＣＱＩは、送信機にフィードバックできるように受信機（すなわち、遅延受信機）用のＣＱＩをより最適に予測するために、ＣＱＩの予め定義される関数にしたがって最適に結合される。
【００１２】
図１によれば、受信機用のＣＱＩを予測するために用いられ得る、例としてユーザ装置（ＵＥ：user equipment）のような装置１００が示されている。装置１００は、無線通信信号を受信する受信機１０２を含んでいる。一態様によれば、受信機１０２は、入来信号を受信し、上述したようなプロセス、すなわちプロセスの遅延を加える干渉キャンセル受信機またはイコライザー（equalizer）を用いたバッチ処理を実行する遅延受信機ユニットまたはモジュール１０４を備えている。受信機ユニットまたはモジュール１０４は、ＣＱＩ値（以下で称する遅延受信機ＣＱＩまたはＤ＿ＣＱＩ）を少なくとも一部算出するまたは決定するように構成されている。
【００１３】
受信機１０２はまた、非遅延受信機ユニットまたはモジュール１０６を含んでいる。非遅延受信機ユニットまたはモジュール１０６は、受信された通信信号を同時に処理し（すなわち、遅延受信機ユニット１０４と同時に）、非遅延ＣＱＩ（以下、非遅延受信機ＣＱＩまたはＮＤ＿ＣＱＩと称する）を算出するように構成され得る。一態様によれば、非遅延受信機ユニットまたはモジュール１０６は、オンタイム受信機（ＯＴＲ：on-time receiver）またはオンライン受信機によって実装され得る。しかしながら、一般的に、非遅延受信機ユニット１０６は、タイムラインが遅延しない、または最低でも遅延受信機ユニット１０４より遅延しないあらゆる受信機によって実装されてもよい。さらに、非遅延受信機１０６は、符号分割多重接続（ＣＤＭＡ：Code Division Multiplexed Access）モデムとして知られるような従来のレーク受信機によって実装されてもよい。
【００１４】
一態様において、非遅延受信機１０６は、本質的にそれぞれ現在の定期的な時刻（すなわち、著しい遅延なしで）において定期的にＣＱＩ値を算出し、規定された時間この値を格納するまたは一時的に記憶領域に移すように構成されている。したがって、一態様において少なくとも最新の時刻（ｔ＋Δｔと称す）および直前の定期的な時刻（ｔと称す）に決定されるＣＱＩ値が非遅延受信機１０６から導かれ得る。時刻ｔは、一般的であり、特定の時間の単位に限定されないことに注意されたい。さらに、Δｔは、時間の一般的な変化または経過であり、また、必ずしも特定の量に限定されない。
【００１５】
ＣＱＩ値１０８は、遅延受信機ユニット１０４によって、ＣＱＩ予測ユニット１１０に出力される。ＣＱＩは、一例によれば、時刻ｔで決定されるＣＱＩである（すなわち、Ｄ＿ＣＱＩ（ｔ））。複数の非遅延ＣＱＩ値１１２も、非遅延受信機ユニット１０６によって、ＣＱＩ予測ユニット１１０に出力される。値１１２は、時刻ｔで先に決定される非遅延ＣＱＩ値（すなわち、ＮＤ＿ＣＱＩ（ｔ））と、時間ｔ＋Δｔで現在決定される非遅延ＣＱＩ値（すなわち、ＮＤ＿ＣＱＩ（ｔ＋Δｔ））とを含み得る。
【００１６】
ＣＱＩ予測ユニット１１０は、インプットＣＱＩ１０８，１１２を受信し、これらの値を用いて種々の考えられる予測関数のいずれか１つを計算する。予測関数は、現在の時刻における遅延受信機用の予測されるＣＱＩ（すなわち、ＤＲ＿ＣＱＩ（ｔ＋Δｔ））を導く。予測関数の種々の例については、より詳細に後述する。
【００１７】
さらに、図１に示すように、ＣＱＩ予測ユニット１１０は、送信機１１６にフィードバックを行うために通信リンク１１４（例えば、無線アップリンク）を通して遅延受信機について割り出された予測されるＣＱＩ（すなわち、ＤＲ＿ＣＱＩ（ｔ＋Δｔ））を出力する。送信機１１６は、通信システム内の装置１００の要求を満たすノードＢ送信機であってもよい。送信機１１６は、スケジューラ１１８を含む、またはスケジューラ１１８と通信を行う。スケジューラ１１８は、送信機１１６用のシステム資源のスケジューリングを行う。現在時刻についての予測されるＣＱＩを提供することによって、送信機１１６は、Ｄ＿ＣＱＩ（ｔ）のみに基づくスケジューリング決定と比較して、古くないＣＱＩに基づいて、より適当なスケジューリング決定をするだろう。
【００１８】
図２に示すように、Ｄ＿ＣＱＩは、現在時刻（ｔ＋Δｔ）からおよそ１単位時間（例えば、Δｔ）遅れている。したがって、Ｄ＿ＣＱＩの予測の目指すことは、現在利用可能なＤ＿ＣＱＩ（すなわち、図２中の点２０２のＤ＿ＣＱＩ（ｔ）またはおよそのＣＱＩ値）と、他の現在および過去の非遅延受信機からのＮＤ＿ＣＱＩデータ（すなわち、図２中の曲線ＮＤ＿ＣＱＩの２０６および２０４の点のおよそのＣＱＩ値）とを用いることにより、１単位時間後に現れるＤ＿ＣＱＩ（すなわち、図２において２００の点で示されたＤ＿ＣＱＩ（ｔ＋Δｔ））を予測することである。遅延受信機からのＤ＿ＣＱＩ（ｔ）が時刻ｔ＋Δｔにおいて利用可能であること、非遅延受信機からのＮＤ＿ＣＱＩ（ｔ＋Δｔ）およびＮＤ＿ＣＱＩ（ｔ）が利用可能であることを仮定すると、予測関数の一般的な形式は以下の方程式（１）により表現され得る。
【００１９】
Ｄ＿ＣＱＩpredicted（ｔ＋Δｔ）＝ａＤ＿ＣＱＩ（ｔ）＋ｂＮＤ＿ＣＱＩ（ｔ＋Δｔ）＋ｃＮＤ＿ＣＱＩ（ｔ）      （１）
上記の方程式は、予測される次のＤ＿ＣＱＩpredicted（すなわち、Ｄ＿ＣＱＩ（ｔ＋Δｔ））が前のＮＤ＿ＣＱＩ（すなわち、ＮＤ＿ＣＱＩ（ｔ））と、現在のＮＤ＿ＣＱＩ（すなわち、ＮＤ＿ＣＱＩ（ｔ＋Δｔ））と、前のＤ＿ＣＱＩ（すなわち、Ｄ＿ＣＱＩ（ｔ））との線形結合として予測されることを示している。パラメータａ、ｂおよびｃは、適応的な方法（モビリティ、形状などに依存する適応的な方法）で理想的に最適化される線形結合係数である。しかしながら、実装化が単純になり得る一態様によれば、一定のまたは最適な適応に近似する予め決められたａ、ｂ、ｃパラメータも考えられることに注意されたい。一態様によれば、パラメータｂまたはｃの最適値がゼロであり得、その結果、Ｄ＿ＣＱＩpredictedを決定する際に使われる１つの非遅延ＣＱＩ値のみが残る（すなわち、ＮＤ＿ＣＱＩ（ｔ＋Δｔ）またはＮＤ＿ＣＱＩ（ｔ）のいずれか）ことにさらに注意されたい。したがって、そのような態様では、１つのＮＤ＿ＣＱＩ値のみが決定されればよい。
【００２０】
別の例において、さらなる予測関数または方法が考えられている。この例において、やはり遅延受信機からのＤ＿ＣＱＩ（ｔ）が時刻ｔ＋Δｔにおいて利用可能であること、非遅延受信機からのＮＤ＿ＣＱＩ（ｔ＋Δｔ）およびＮＤ＿ＣＱＩ（ｔ）が利用可能であることが仮定される。これらの既知のＣＱＩを仮定することで、Ｄ＿ＣＱＩの予測が以下の方程式（２）の実施によって求められ得ることが考えられる。
【００２１】
Ｄ＿ＣＱＩpredicted（ｔ＋Δｔ）＝Ｄ＿ＣＱＩ（ｔ）＋ｃ（ＮＤ＿ＣＱＩ（ｔ）−ＮＤ＿ＣＱＩ（ｔ＋Δｔ））      （２）
したがって、方程式（２）によって得られる時刻ｔ＋Δｔにおける予測されるＤ＿ＣＱＩpredictedは、遅延受信機のＣＱＩのより早い値（すなわち、Ｄ＿ＣＱＩ（ｔ））に、最後のΔｔの期間において変化したオンタイムまたは非遅延ＣＱＩ（すなわち、ＮＤ＿ＣＱＩ（ｔ）とＮＤ＿ＣＱＩ（ｔ＋Δｔ）との間の差）に依存した補正要素を加えたものである。値ｃは、特定のシステム仕様に補正要素を最良に合わせるために使用される予め決められた定数である。方程式（２）の方法はそれが単純かつ不偏であるという点で有益であることに注意されたい。特に、遅延および非遅延ＣＱＩを正確に「混合する」のではなく、非遅延ＣＱＩの変化を単に使用して遅延ＣＱＩを調節するため、この種の予測変数が問題を少なくし得るという意味で、方程式（２）は単純である。
【００２２】
上記の典型的な方程式（１）または（２）に関して上述された定数値ａ、ｂまたはｃは、再帰的な最小２乗（ＲＬＳ：recursive least squares）または最小平均２乗（ＬＭＳ：least mean squares）のような様々な適応的なアルゴリズムによって、選ぶことができることにも注意されたい。
【００２３】
一態様によれば、パラメータａ、ｂおよびｃは、予測誤差を最小化するための平均２乗誤差（ＭＳＥ：Mean Square Error）基準によって選ぶことができる。特に、ＭＳＥは、以下の方程式によって算出され得る。
【００２４】
ＭＳＥ＝Average（Ｄ＿ＣＱＩ（ｔ＋Δｔ）−Ｄ＿ＣＱＩpredicted（ｔ＋Δｔ）））２      （３）
言いかえれば、平均２乗誤差は、推定された予測ＣＱＩ（すなわち、Ｄ＿ＣＱＩpredicted（ｔ＋Δｔ））と、実際のＣＱＩ（すなわち、Ｄ＿ＣＱＩ（ｔ＋Δｔ））との間の差の２乗の平均である。当業者が認識するように、これは最小２乗技術を使用して解決することができる単純な最適化問題に帰着する。
【００２５】
さらなる態様において、提案されたＣＱＩ評価体は、以下の関係によれば、Ｄ＿ＣＱＩ（例えばＤ＿ＣＱＩ（ｔ））と予測されるＤ＿ＣＱＩ（例えばＤ＿ＣＱＩpredicted）との差をフィルターする無限インパルス応答（ＩＩＲ：infinite impulse response）によって、不偏にすることができる。
【００２６】
unbiased＿Ｄ＿ＣＱＩpredicted（ｔ＋Δｔ）＝Ｄ＿ＣＱＩ（ｔ＋Δｔ）Filter［Ｄ＿ＣＱＩ（ｔ）−Ｄ＿ＣＱＩ（ｔ＋Δｔ）］    （４）
図３は、遅延受信機用の予測ＣＱＩを決定するために使われる基本的な方法のフローチャートを示している。初期設定後、方法３００は、第１受信機からの少なくとも１つの第１チャネル品質情報が決定されるブロック３０２を有する。このプロセスの一例は、少なくとも１つの非遅延ＣＱＩを決定し、予測ユニット１１０にＣＱＩを送信する図１におけるユニット１０６を含み得る（すなわち、方程式（１）におけるパラメータｂまたはｃのうち１つがゼロに設定されている例）。別の例は、少なくとも２つの異なる時刻（例えば、ｔとｔ＋Δｔ）における複数の非遅延ＣＱＩを決定し、予測ユニット１１０にＣＱＩを送信するユニット１０６である。
【００２７】
ブロック３０２の決定と同時にまたは平行して、ブロック３０４に示すように、第２受信機からの少なくとも１つの第２チャネル品質情報が決定される。ブロック３０４のプロセスの一例は、少なくとも１つの遅延ＣＱＩを決定し、予測ユニット１１０にＣＱＩを送信する図１におけるユニット１０４を含み得る。
【００２８】
ブロック３０２または３０４のそれぞれにおいて、複数の第１チャネル品質情報および少なくとも１つの第２チャネル品質情報が決定された後、ブロック３０６によって示されるように、予測チャネル品質情報が算出される。具体的には、予測ＣＱＩ（Ｄ＿ＣＱＩpredicted）は、少なくとも１つの第１チャネル品質情報および少なくとも１つの第２チャネル品質情報の関数によって、算出される。ブロック３０６のプロセスは、一例によれば、図１に示されたＣＱＩ予測ユニット１１０によって、成され得る。さらに、利用される具体的な関数の例は、上述された例のうちのいずれの１つを含み得る。
【００２９】
予測ＣＱＩがブロック３０６において算出された後、この値を決定する方法（すなわち、３００）は、具体的な時刻ｔ＋Δｔに完了する。したがって、別のブロック３０８が含まれて、予測されるＣＱＩ（Ｄ＿ＣＱＩpredicted）が図１例における送信機１１６のような送信機ＴＸへのフィードバックとして一般的に使われることを示しているが、ブロック３０８のこのプロセスは、予測ＣＱＩを決定する方法３００の実行に対して必ずしも必要ではないため、ブロック３０８は破線で示されている。送信機への連続したフィードバックのために増加される時間Δｔごとにプロセス３００が繰り返され得ることもまた、当業者によって認識されるだろう。
【００３０】
図４は、本開示に従った予測チャネル品質情報を利用し、および決定し得る別の装置４００を示している。装置４００がユーザ装置、基地局、１つまたはそれ以上のプロセッサ、あるいは通信システムで使用される他の適用可能なハードウェア／ソフトウェア／ファームウェアを構成し得ることに注意されたい。図示するように、装置４００は、中央データバス４０２、または複数の回路を互いに接続する同様の装置を含んでいる。回路は、ＣＰＵ（Central Processing Unit）またはコントローラ４０４、受信回路４０６および記憶ユニット４０８を含んでいる。ＣＰＵまたはコントローラ４０４、受信回路４０６および記憶ユニット４０８は、全てバス４０２を介して通信し得る。
【００３１】
受信回路４０６はさらに、非遅延ＣＱＩモジュール４１２を含んでいる。非遅延ＣＱＩモジュール４１２は、例えば受信回路４０６の一部でもある非遅延受信機（明示的に示されない）からの上述したような非遅延ＣＱＩ値（すなわち、ＮＤ＿ＣＱＩ）を得るのに用いられる。受信回路４０６はまた、受信回路４０６の一部でもある遅延受信機（これもまた明示的に示されない）からの遅延ＣＱＩ値（すなわち、Ｄ＿ＣＱＩ）を得る遅延ＣＱＩモジュール４１４を含んでいる。モジュール４１２および４１４によって得られるＣＱＩ値は、記憶ユニット４０８へバス４０２を介して伝えられる。具体的に、記憶ユニット４０８は、ソフトウェア（これに限らず、ファームウェアでもよい）としての予測ＣＱＩファンクション／モジュール４１６を有している。モジュール４１６は、予測ＣＱＩファンクション、例えば遅延受信機の予測ＣＱＩ（すなわち、Ｄ＿ＣＱＩpredicted）を算出するための前に開示された方法およびアルゴリズムを適用する。
【００３２】
装置４００は、無線通信リンク４２０を介して送信機４１８にＤ＿ＣＱＩpredicted値を伝え得る。送信機４１８は、次に、スケジューリングシステム資源にとって有用なフィードバックとしてＤ＿ＣＱＩpredictedを利用し得る。
【００３３】
ＣＰＵ／コントローラ４０６は、データバス４０２のデータ管理のファンクションを実行し、さらに記憶ユニット４０８の命令コンテンツの実行を含む一般データ処理のファンクションを実行する。ここで、代案として図４に示されるように、別々に実装される代わりに、任意の個数の回路またはモジュールをプロセッサ／ＣＰＵ／コントローラ４０４の一部として組込むことができることに注意されたい。さらなる代案として、装置４００全体が、特定用途向け集積回路（ＡＳＩＣ：application specific integrated circuit）または同様の装置として実装されてもよい。
【００３４】
図４の例において、記憶ユニット４０８は、ＲＡＭ（Random Access Memory）回路であってもよい。ファンクション４１６のような典型的な部分は、ソフトウェアルーチン、モジュールおよび／またはデータセットである。記憶ユニット４０８は、揮発性または不揮発性タイプのどちらでもあり得る別の記憶回路（図示せず）に接続されている。代わりに、記憶ユニット４０８は、例えばＥＥＰＲＯＭ（Electrically Erasable Programmable Read Only Memory）、ＥＰＲＯＭ（Electrical Programmable Read Only Memory）、ＲＯＭ（Read Only Memory）、ＡＳＩＣ（Application Specific Integrated Circuit）、磁気ディスク、光ディスク、および本分野でよく知られた他のコンピュータ読み取り可能な媒体といった他の回路タイプで構成されてもよい。
【００３５】
開示されたプロセスにおけるステップの具体的な順序または階層が、典型的なアプローチの一例であることは理解される。設計の優先事項に基づいて、本開示の範囲内であることを維持しながらプロセスにおけるステップの具体的な順序または階層が並び替えられてもよいことは理解される。添付の方法請求項は、様々なステップの要素を見本的な順序で提示しており、上述された具体的な順序または階層に制限されることを意味されてはいない。
【００３６】
情報及び信号は、種々の異なる技術や手法の任意のものを用いて表され得ることが、当業者に理解されるだろう。例えば、上記記載の全体にわたって言及されるデータ、命令、コマンド、情報、信号、ビット、シンボル、及びチップは、電圧、電流、電磁波、磁界または磁性粒子、または光電界または光粒子、またはこれらを組み合わせたものによって表され得る。
【００３７】
当業者には、本明細書に開示された例に関連して説明された種々の例示的な論理ブロック、モジュール、回路、及びアルゴリズムステップは、電子的なハードウェア、コンピュータソフトウェア、または両方の組み合わせとして実装され得ることが、更に理解されるだろう。ハードウェアとソフトウェアが可換であることを明確に示すために、種々の例示的な要素、ブロック、モジュール、回路、手段およびステップは、全般的にそれらの機能性の観点から、上記では説明してきた。そのような機能性がハードウェアで実装されるかソフトウェアで実装されるかは、個々のアプリケーション及び全体のシステムに課せられた設計の制約に依存する。当業者は、上記の機能性を、各個別のアプリケーション用の種々の方法で実装し得る。しかし、そのような実装の決定は、開示された方法の範囲からの逸脱を生じさせるものとして解釈されるべきでは無い。
【００３８】
本明細書に開示された実施例に関連して述べられた種々の一例としての論理ブロック、モジュール、及び回路は、本明細書で述べられた機能を実行するように設計された汎用プロセッサ、デジタルシグナルプロセッサ（ＤＳＰ：digital signal processor）、特定用途向け集積回路（ＡＳＩＣ：Application Specific Integrated Circuit）、フィールドプログラマブルゲートアレイシグナル（ＦＰＧＡ：field programmable gate array）、またはその他のプログラマブル論理デバイス、ディスクリートゲートまたはトランジスタロジック、ディスクリートハードウェア部品、またはこれらを組み合わせたものによって、実装または実行され得る。汎用プロセッサは、マイクロプロセッサであっても良いが、代わりにプロセッサはあらゆる従来のプロセッサ、コントローラ、マイクロコントローラ、またはステートマシンであっても良い。プロセッサはまた、コンピューティングデバイスを組み合わせたものとして実装されても良い。例えば、ＤＳＰとマイクロプロセッサ、複数のマイクロプロセッサ、ＤＳＰコアと接続された１つ以上のマイクロプロセッサ、またはその他のそのような構成を組み合わせたものである。
【００３９】
本明細書に開示された実施例に関連して述べられた方法、またはアルゴリズムのステップは、直接的にハードウェアによって、プロセッサによって実行されるソフトウェアモジュールによって、またはこれら２つを組み合わせたものによって、具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または本分野で既知の記録媒体のあらゆる形態内に存在し得る。典型的な記録媒体（示されない）は、プロセッサと、このようなプロセッサが記録媒体から情報を読み取り、記録媒体に情報を書き込むことができるように接続されている。または、記録媒体は、プロセッサに一体化されても良い。プロセッサと記録媒体は、特定用途向け集積回路（ＡＳＩＣ：Application Specific Integrated Circuit）内に存在し得る。ＡＳＩＣは、ユーザ端末内に存在し得る。別の方法では、プロセッサと記録媒体は、ディスクリート要素としてユーザ端末内に存在し得る。
【００４０】
１つまたはそれ以上の典型的な実施例では、記述された機能は、ハードウェア、ソフトウェア、ファームウェアあるいはそれらの任意の組み合わせで実装され得る。ソフトウェアで実装された場合、機能はコンピュータ読み取り可能な媒体に格納される、またはコンピュータ読み取り可能な媒体に１つまたはそれ以上の命令あるいはコードとして送信される。コンピュータ読み取り可能な媒体は、ある位置から別の位置へのコンピュータプログラムの転送を促進するあらゆる媒体を含む通信媒体およびコンピュータ記録媒体の両方を有している。記録媒体は、汎用または専用コンピュータによってアクセスすることができる利用可能なあらゆる媒体であってもよい。限定ではなく、例として、そのようなコンピュータ読み取り可能な媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶装置、あるいは、汎用または専用プロセッサもしくは汎用または専用コンピュータによってアクセスでき、命令またはデータ構造の形態で所望のプログラムコード手段を格納するもしくは伝える、他の媒体を有し得る。さらに、いかなる接続も適宜コンピュータ読み取り可能な媒体と称される。例えば、ソフトウェアが、同軸ケーブル、光ファイバーケーブル、撚線対、ＤＳＬ（digital subscriber line）、または赤外線、無線およびマイクロ波のような無線技術を利用して、ウェブサイト、サーバーあるいは他の遠隔のソースから送信される場合、この同軸ケーブル、光ファイバーケーブル、撚線対、ＤＳＬ、または赤外線、無線およびマイクロ波のような無線技術、は、媒体の定義に含まれる。ここで使用される、ディスク（disk）とディスク（disc）は、ＣＤ（compact disc）、レーザーディスク（登録商標）、光ディスク、ＤＶＤ（digital versatile disc）、フロッピー（登録商標）ディスク、およびブルーレイディスクを含み、ディスク（disk）が通常磁気的にデータを再生する一方、ディスク（disc）がレーザによりデータを光学的に再生する。上記の組み合わせもコンピュータ読み取り可能な媒体の範囲内に含まれているのは当然である。
【００４１】
上述した例は、単なる典型例であり、当業者は、ここで開示された発明概念から外れることなく、上記例を様々に利用しまた外れるだろう。これらの例の種々の変形が、当業者には容易に明らかであろう。そして、本明細書で定義された一般的な原理は、例えば、ここで記述された新しい態様の範囲または概念から外れることなく、一般的な無線データ通信アプリケーションまたはインスタントメッセージングサービスといった他の例にも適用可能である。したがって、本開示の範囲は、ここで示された例に限定されることを意図されておらず、ここで開示された新しい特徴および原理に矛盾しない最も広い範囲に合致するべきである。用語「典型的」は、「一例（example）、事例（instance）、または実例（illustration）として役立つ」ことを意味するために、本明細書において主に使用されることに注意されたい。「典型的」として本明細書で説明されるあらゆる例は、他の例に対して好ましくまたは有利であるものとして解釈される必要はない。したがって、本明細書で説明される新しい態様は、以下の請求項の範囲のみによって定義されるべきである。
以下に、本願出願時の特許請求の範囲に記載された発明を付記する。
［１］通信システムの受信機用の予測チャネル品質情報を決定する方法であって、
第１受信機からの少なくとも１つの第１チャネル品質情報を決定し、
第２受信機からの少なくとも１つの第２チャネル品質情報を決定し、
前記少なくとも１つの第１チャネル品質情報および前記少なくとも１つの第２チャネル品質情報の関数により、前記予測チャネル品質情報を算出する
ことを備え、
複数の第１チャネル品質情報が決定される場合、前記複数のそれぞれは、時間のそれぞれ異なる点で生じる方法。
［２］前記第１受信機は、非遅延受信機である［１］の方法。
［３］前記非遅延受信機は、レーク受信機である［２］の方法。
［４］前記第２受信機は、遅延受信機である［１］の方法。
［５］前記遅延受信機は、イコライザー（equalizer）である［４］の方法。
［６］前記第１受信機はレーク受信機であり、前記第２受信機はイコライザー（equalizer）である［１］の方法。
［７］前記関数は、Ｄ＿ＣＱＩ（ｔ＋Δｔ）＝ａＤ＿ＣＱＩ（ｔ）＋ｂＮＤ＿ＣＱＩ（ｔ＋Δｔ）＋ｃＮＤ＿ＣＱＩ（ｔ）を有し、
Ｄ＿ＣＱＩ（ｔ＋Δｔ）は時刻ｔ＋Δｔにおける前記予測ＣＱＩであり、Ｄ＿ＣＱＩ（ｔ）は時刻ｔにおける先の遅延ＣＱＩを有する前記少なくとも１つの第２チャネル品質情報であり、ＮＤ＿ＣＱＩ（ｔ＋Δｔ）は時刻ｔ＋Δｔにおける非遅延ＣＱＩを有する前記複数の第１チャネル品質情報の１つであり、ＮＤ＿ＣＱＩ（ｔ）は時刻ｔにおける非遅延ＣＱＩを有する前記複数の第１チャネル品質情報の別の１つであり、ａ、ｂおよびｃは予め決められる定数値である［１］の方法。
［８］前記関数は、Ｄ＿ＣＱＩ（ｔ＋Δｔ）＝Ｄ＿ＣＱＩ（ｔ）＋ｃ（ＮＤ＿ＣＱＩ（ｔ）−ＮＤ＿ＣＱＩ（ｔ＋Δｔ））を有し、
Ｄ＿ＣＱＩ（ｔ＋Δｔ）は時刻ｔ＋Δｔにおける前記予測ＣＱＩであり、Ｄ＿ＣＱＩ（ｔ）は時刻ｔにおける先の遅延ＣＱＩを有する前記少なくとも１つの第２チャネル品質情報であり、ＮＤ＿ＣＱＩ（ｔ＋Δｔ）は時刻ｔ＋Δｔにおける非遅延ＣＱＩを有する前記複数の第１チャネル品質情報の１つであり、ＮＤ＿ＣＱＩ（ｔ）は時刻ｔにおける非遅延ＣＱＩを有する前記複数の第１チャネル品質情報の別の１つであり、ｃは予め決められる定数値である［１］の方法。
［９］通信システムの受信機用の予測チャネル品質情報を決定する装置であって、
第１受信機からの少なくとも１つの第１チャネル品質情報を決定し、
第２受信機からの少なくとも１つの第２チャネル品質情報を決定し、
前記少なくとも１つの第１チャネル品質情報および前記少なくとも１つの第２チャネル品質情報の関数により、前記予測チャネル品質情報を算出する
ように構成された少なくとも１つのプロセッサと、
前記少なくとも１つのプロセッサに結合されたメモリと
を備え、
複数の第１チャネル品質情報が決定される場合、前記複数のそれぞれは、時間のそれぞれ異なる点で生じる装置。
［１０］前記第１受信機は、非遅延受信機である［９］の装置。
［１１］前記非遅延受信機は、レーク受信機である［１０］の装置。
［１２］前記第２受信機は、遅延受信機である［９］の装置。
［１３］前記遅延受信機は、イコライザー（equalizer）である［１２］の装置。
［１４］前記第１受信機はレーク受信機であり、前記第２受信機はイコライザー（equalizer）である［９］の装置。
［１５］前記関数は、Ｄ＿ＣＱＩ（ｔ＋Δｔ）＝ａＤ＿ＣＱＩ（ｔ）＋ｂＮＤ＿ＣＱＩ（ｔ＋Δｔ）＋ｃＮＤ＿ＣＱＩ（ｔ）を有し、
Ｄ＿ＣＱＩ（ｔ＋Δｔ）は時刻ｔ＋Δｔにおける前記予測ＣＱＩであり、Ｄ＿ＣＱＩ（ｔ）は時刻ｔにおける先の遅延ＣＱＩを有する前記少なくとも１つの第２チャネル品質情報であり、ＮＤ＿ＣＱＩ（ｔ＋Δｔ）は時刻ｔ＋Δｔにおける非遅延ＣＱＩを有する前記複数の第１チャネル品質情報の１つであり、ＮＤ＿ＣＱＩ（ｔ）は時刻ｔにおける非遅延ＣＱＩを有する前記複数の第１チャネル品質情報の別の１つであり、ａ、ｂおよびｃは予め決められる定数値である［９］の装置。
［１６］前記関数は、Ｄ＿ＣＱＩ（ｔ＋Δｔ）＝Ｄ＿ＣＱＩ（ｔ）＋ｃ（ＮＤ＿ＣＱＩ（ｔ）−ＮＤ＿ＣＱＩ（ｔ＋Δｔ））を有し、
Ｄ＿ＣＱＩ（ｔ＋Δｔ）は時刻ｔ＋Δｔにおける前記予測ＣＱＩであり、Ｄ＿ＣＱＩ（ｔ）は時刻ｔにおける先の遅延ＣＱＩを有する前記少なくとも１つの第２チャネル品質情報であり、ＮＤ＿ＣＱＩ（ｔ＋Δｔ）は時刻ｔ＋Δｔにおける非遅延ＣＱＩを有する前記複数の第１チャネル品質情報の１つであり、ＮＤ＿ＣＱＩ（ｔ）は時刻ｔにおける非遅延ＣＱＩを有する前記複数の第１チャネル品質情報の別の１つであり、ｃは予め決められる定数値である［９］の装置。
［１７］通信システムの受信機用の予測チャネル品質情報を決定する装置であって、
第１受信機からの少なくとも１つの第１チャネル品質情報を決定する手段と、
第２受信機からの少なくとも１つの第２チャネル品質情報を決定する手段と、
前記少なくとも１つの第１チャネル品質情報および前記少なくとも１つの第２チャネル品質情報の関数により、前記予測チャネル品質情報を算出する手段と
を備え、
複数の第１チャネル品質情報が決定される場合、前記複数のそれぞれは、時間のそれぞれ異なる点で生じる装置。
［１８］前記第１受信機は、非遅延受信機である［１７］の装置。
［１９］前記非遅延受信機は、レーク受信機である［１８］の装置。
［２０］前記第２受信機は、遅延受信機である［１７］の装置。
［２１］前記遅延受信機は、イコライザー（equalizer）である［２０］の装置。
［２２］前記第１受信機はレーク受信機であり、前記第２受信機はイコライザー（equalizer）である［１７］の装置。
［２３］前記関数は、Ｄ＿ＣＱＩ（ｔ＋Δｔ）＝ａＤ＿ＣＱＩ（ｔ）＋ｂＮＤ＿ＣＱＩ（ｔ＋Δｔ）＋ｃＮＤ＿ＣＱＩ（ｔ）を有し
Ｄ＿ＣＱＩ（ｔ＋Δｔ）は時刻ｔ＋Δｔにおける前記予測ＣＱＩであり、Ｄ＿ＣＱＩ（ｔ）は時刻ｔにおける先の遅延ＣＱＩを有する前記少なくとも１つの第２チャネル品質情報であり、ＮＤ＿ＣＱＩ（ｔ＋Δｔ）は時刻ｔ＋Δｔにおける非遅延ＣＱＩを有する前記複数の第１チャネル品質情報の１つであり、ＮＤ＿ＣＱＩ（ｔ）は時刻ｔにおける非遅延ＣＱＩを有する前記複数の第１チャネル品質情報の別の１つであり、ａ、ｂおよびｃは予め決められる定数値である［１７］の装置。
［２４］前記関数は、Ｄ＿ＣＱＩ（ｔ＋Δｔ）＝Ｄ＿ＣＱＩ（ｔ）＋ｃ（ＮＤ＿ＣＱＩ（ｔ）−ＮＤ＿ＣＱＩ（ｔ＋Δｔ））を有し、
Ｄ＿ＣＱＩ（ｔ＋Δｔ）は時刻ｔ＋Δｔにおける前記予測ＣＱＩであり、Ｄ＿ＣＱＩ（ｔ）は時刻ｔにおける先の遅延ＣＱＩを有する前記少なくとも１つの第２チャネル品質情報であり、ＮＤ＿ＣＱＩ（ｔ＋Δｔ）は時刻ｔ＋Δｔにおける非遅延ＣＱＩを有する前記複数の第１チャネル品質情報の１つであり、ＮＤ＿ＣＱＩ（ｔ）は時刻ｔにおける非遅延ＣＱＩを有する前記複数の第１チャネル品質情報の別の１つであり、ｃは予め決められる定数値である［１７］の装置。
［２５］第１受信機からの少なくとも１つの第１チャネル品質情報をコンピュータに決定させるコードと、
第２受信機からの少なくとも１つの第２チャネル品質情報をコンピュータに決定させるコードと、
前記少なくとも１つの第１チャネル品質情報および前記少なくとも１つの第２チャネル品質情報の関数により、前記予測チャネル品質情報をコンピュータに算出させるコードと
を備えるコンピュータ読み取り可能な媒体
を備え、
複数の第１チャネル品質情報が決定される場合、前記複数のそれぞれは、時間のそれぞれ異なる点で生じるコンピュータプラグラム製品。
［２６］前記第１受信機は、非遅延受信機である［２５］のコンピュータプログラム製品。
［２７］前記非遅延受信機は、レーク受信機である［２６］のコンピュータプログラム製品。
［２８］前記第２受信機は、遅延受信機である［２５］のコンピュータプログラム製品。
［２９］前記遅延受信機は、イコライザー（equalizer）である［２８］のコンピュータプログラム製品。
［３０］前記第１受信機はレーク受信機であり、前記第２受信機はイコライザー（equalizer）である［２５］のコンピュータプログラム製品。
［３１］前記関数は、Ｄ＿ＣＱＩ（ｔ＋Δｔ）＝ａＤ＿ＣＱＩ（ｔ）＋ｂＮＤ＿ＣＱＩ（ｔ＋Δｔ）＋ｃＮＤ＿ＣＱＩ（ｔ）を有し、
Ｄ＿ＣＱＩ（ｔ＋Δｔ）は時刻ｔ＋Δｔにおける前記予測ＣＱＩであり、Ｄ＿ＣＱＩ（ｔ）は時刻ｔにおける先の遅延ＣＱＩを有する前記少なくとも１つの第２チャネル品質情報であり、ＮＤ＿ＣＱＩ（ｔ＋Δｔ）は時刻ｔ＋Δｔにおける非遅延ＣＱＩを有する前記複数の第１チャネル品質情報の１つであり、ＮＤ＿ＣＱＩ（ｔ）は時刻ｔにおける非遅延ＣＱＩを有する前記複数の第１チャネル品質情報の別の１つであり、ａ、ｂおよびｃは予め決められる定数値である［２５］のコンピュータプログラム製品。
［３２］前記関数は、Ｄ＿ＣＱＩ（ｔ＋Δｔ）＝Ｄ＿ＣＱＩ（ｔ）＋ｃ（ＮＤ＿ＣＱＩ（ｔ）−ＮＤ＿ＣＱＩ（ｔ＋Δｔ））を有する。
尚、Ｄ＿ＣＱＩ（ｔ＋Δｔ）は時刻ｔ＋Δｔにおける前記予測ＣＱＩであり、Ｄ＿ＣＱＩ（ｔ）は時刻ｔにおける先の遅延ＣＱＩを有する前記少なくとも１つの第２チャネル品質情報であり、ＮＤ＿ＣＱＩ（ｔ＋Δｔ）は時刻ｔ＋Δｔにおける非遅延ＣＱＩを有する前記複数の第１チャネル品質情報の１つであり、ＮＤ＿ＣＱＩ（ｔ）は時刻ｔにおける非遅延ＣＱＩを有する前記複数の第１チャネル品質情報の別の１つであり、ｃは予め決められる定数値である［２５］のコンピュータプログラム製品。
【図１】
0005571211.tif 000002
【図２】
0005571211.tif 000003
【図３】
0005571211.tif 000004
【図４】
0005571211.tif 000005